(57)【要約】【課題】乗客の目的地及び／又は利用目的に応じて広告情報を提供する。【解決手段】この広告表示システムは、交通機関を用いた移動の目的地を表す目的地情報を記憶すると共に外部からエネルギーを供給されたときに無線通信が可能なＩＣカードから目的地情報を読み取る読取手段と、読取手段によって読み取られた目的地情報を座席位置情報と共にネットワークを介して送信する送信手段と、少なくとも目的地情報に対応して広告情報を格納する格納部を有し、送信手段からネットワークを介して受信した目的地情報に基づいて格納部を検索することにより、受信した目的地情報に対応する広告情報を抽出して、該広告情報を座席位置情報に基づいて定められる座席に設けられている受信手段にネットワークを介して送信するサーバと、受信手段がネットワークを介して受信した広告情報に基づいて画像を表示する表示手段とを具備する。【選択図】図１
2009204847.tif 000002
【特許請求の範囲】
【請求項１】
交通機関において広告を表示する広告表示システムであって、
当該交通機関を用いた移動の目的地を表す目的地情報を記憶すると共に外部からエネルギーを供給されたときに無線通信が可能なＩＣカードから目的地情報を読み取る読取手段と、
前記読取手段によって読み取られた目的地情報を座席位置情報と共にネットワークを介して送信する送信手段と、
少なくとも目的地情報に対応して広告情報を格納する格納部を有し、前記送信手段から前記ネットワークを介して受信した目的地情報に基づいて前記格納部を検索することにより、受信した目的地情報に対応する広告情報を抽出して、抽出された広告情報を座席位置情報に基づいて定められる座席に設けられている受信手段に前記ネットワークを介して送信するサーバと、
前記受信手段が前記ネットワークを介して受信した広告情報に基づいて画像を表示する表示手段と、
を具備する広告表示システム。
【請求項２】
前記読取手段、前記送信手段、前記受信手段、及び、前記表示手段が、乗客が利用する各座席に設けられており、
前記サーバが、１つの座席に設けられている前記読取手段によって読み取られた目的地情報に対応する広告情報を、前記１つの座席よりも前に隣接する座席に設けられている前記受信手段に送信し、
前記１つの座席よりも前に隣接する座席に設けられている前記表示手段が、該広告情報に基づく画像を表示する、請求項１記載の広告表示システム。
【請求項３】
当該交通機関を用いた移動の利用目的を表す利用目的情報を乗客が入力するために用いる入力手段と、
前記入力手段を用いて入力された利用目的情報を前記ネットワークを介して前記サーバに送信する第２の送信手段と、
をさらに具備し、前記サーバが、目的地情報及び利用目的情報に対応して広告情報を格納する格納部を有し、前記送信手段から受信した目的地情報及び利用目的情報に基づいて前記格納部を検索することにより、受信した目的地情報及び利用目的情報に対応する広告情報を抽出する、請求項１又は２記載の広告表示システム。
【請求項４】
乗客が利用する各座席に加えられる荷重を感知する荷重センサをさらに具備し、
前記送信手段が、前記荷重センサの感知結果を前記ネットワークを介して前記サーバに送信し、
前記サーバが、前記荷重センサの感知結果に基づいて、各座席に乗客が座っているか否かを判定し、該判定結果に基づいて、各座席に対応する前記表示手段における表示のオン／オフを制御する、請求項１〜３のいずれか１項記載の広告表示システム。
【請求項５】
乗客が利用する各座席の方向を検出する座席方向センサをさらに具備し、
前記送信手段が、前記座席方向センサの検出結果を前記ネットワークを介して前記サーバに送信し、
前記サーバが、前記座席方向センサの検出結果に基づいて、座席の向き合い状態を判定し、該判定結果に基づいて、各座席に対応する前記表示手段における表示のオン／オフを制御する、請求項１〜４のいずれか１項記載の広告表示システム。
【請求項６】
交通機関において広告を表示する広告表示方法であって、
当該交通機関を用いた移動の目的地を表す目的地情報を記憶すると共に外部からエネルギーを供給されたときに無線通信が可能なＩＣカードから目的地情報を読み取るステップ（ａ）と、
ステップ（ａ）において読み取られた目的地情報を座席位置情報と共にネットワークを介して送信するステップ（ｂ）と、
少なくとも目的地情報に対応して広告情報を格納する格納部を有するサーバにおいて、前記ネットワークを介して受信した目的地情報に基づいて前記格納部を検索することにより、受信した目的地情報に対応する広告情報を抽出して、抽出された広告情報を座席位置情報に基づいて定められる座席に設けられている受信手段に前記ネットワークを介して送信するステップ（ｃ）と、
前記受信手段が前記ネットワークを介して受信した広告情報に基づいて、表示手段に画像を表示するステップ（ｄ）と、
を具備する広告表示方法。
【請求項７】
乗客が入力手段を用いて入力した、当該交通機関を用いた移動の利用目的を表す利用目的情報を前記ネットワークを介して前記サーバに送信するステップ（ｂ’）をさらに具備し、
ステップ（ｃ）が、目的地情報及び利用目的情報に対応して広告情報を格納する格納部を有するサーバにおいて、前記ネットワークを介して受信した目的地情報及び利用目的情報に基づいて前記格納部を検索することにより、受信した目的地情報及び利用目的情報に対応する広告情報を抽出することを含む、請求項６記載の広告表示方法。
【請求項８】
乗客が利用する各座席に加えられる荷重を感知する荷重センサの感知結果を前記ネットワークを介して前記サーバに送信するステップ（ｅ）と、
前記サーバにおいて、前記荷重センサの感知結果に基づいて、各座席に乗客が座っているか否かを判定し、該判定結果に基づいて、各座席に対応する前記表示手段における表示のオン／オフを制御するステップ（ｆ）と、
をさらに具備する、請求項６又は７記載の広告表示方法。
【請求項９】
乗客が利用する各座席の方向を検出する座席方向センサの検出結果を前記ネットワークを介して前記サーバに送信するステップ（ｇ）と、
前記サーバにおいて、前記座席方向センサの検出結果に基づいて、座席の向き合い状態を判定し、該判定結果に基づいて、各座席に対応する前記表示手段における表示のオン／オフを制御するステップ（ｈ）と、
をさらに具備する、請求項６〜８のいずれか１項記載の広告表示方法。
【発明の詳細な説明】
【技術分野】
【０００１】
本発明は、列車、バス、飛行機等の交通機関において広告を表示する広告表示システム及び広告表示方法に関し、特に、非接触で情報の読出し及び書込みが可能なＩＣを内蔵した乗車券（ＩＣカード）を用いる広告表示システム及び広告表示方法に関する。
【背景技術】
【０００２】
従来から、列車、バス、飛行機等の交通機関において、多種多様の製品やサービス等の情報を、中吊り広告や吊り革広告によって提供する広告方法が知られている。特に、複数の座席が同一の方向に並べられた列車（例えば、新幹線）等においては、各座席の背面に網状の袋が設置され、その中に雑誌等の広告媒体が配布されており、乗客が閲覧できるようになっている。また、そのような列車は、長距離移動用として利用されることが多く、利用時間が長いので、非常に大きな広告効果が期待できる。
【０００３】
しかしながら、乗客の目的地は様々かつ広範囲に及ぶので、乗客の目的地に適合した広告情報を提供することは非常に困難であるという問題があった。また、乗客の利用目的は、ビジネスや観光等のように異なっているので、乗客の利用目的に応じて広告情報を提供することが要望されている。
【０００４】
関連する技術として、下記の特許文献１には、電車やバス等の移動車両に設置される広告情報等の内容を簡単に変更できると共に、場所を選ばず既存の印刷物による広告が設置されている位置に取り付けることができる移動車両用情報表示装置が開示されている。この移動車両用情報表示装置は、情報表示装置に可撓性を持たせると共に、情報表示装置の駆動電極を一片に集中配置して移動車両の内及び／又は外に取り付け、移動車両の位置及び／又は現在時刻の車両情報の変化に応じて情報表示装置に表示する情報を電気的に変えることを特徴としている。しかしながら、特許文献１においても、乗客の目的地や利用目的に応じて広告情報を提供することは開示されていない。
【０００５】
【特許文献１】特開２００２−３５１３７４号公報（第１−２頁、図１）
【発明の開示】
【発明が解決しようとする課題】
【０００６】
そこで、上記の点に鑑み、本発明は、乗客の目的地及び／又は利用目的に応じて広告情報を提供することを目的とする。
【課題を解決するための手段】
【０００７】
上記課題を解決するため、本発明の１つの観点に係る広告表示システムは、交通機関において広告を表示する広告表示システムであって、当該交通機関を用いた移動の目的地を表す目的地情報を記憶すると共に外部からエネルギーを供給されたときに無線通信が可能なＩＣカードから目的地情報を読み取る読取手段と、読取手段によって読み取られた目的地情報を座席位置情報と共にネットワークを介して送信する送信手段と、少なくとも目的地情報に対応して広告情報を格納する格納部を有し、送信手段からネットワークを介して受信した目的地情報に基づいて格納部を検索することにより、受信した目的地情報に対応する広告情報を抽出して、抽出された広告情報を座席位置情報に基づいて定められる座席に設けられている受信手段にネットワークを介して送信するサーバと、受信手段がネットワークを介して受信した広告情報に基づいて画像を表示する表示手段とを具備する。
【０００８】
また、本発明の１つの観点に係る広告表示方法は、交通機関において広告を表示する広告表示方法であって、当該交通機関を用いた移動の目的地を表す目的地情報を記憶すると共に外部からエネルギーを供給されたときに無線通信が可能なＩＣカードから目的地情報を読み取るステップ（ａ）と、ステップ（ａ）において読み取られた目的地情報を座席位置情報と共にネットワークを介して送信するステップ（ｂ）と、少なくとも目的地情報に対応して広告情報を格納する格納部を有するサーバにおいて、ネットワークを介して受信した目的地情報に基づいて格納部を検索することにより、受信した目的地情報に対応する広告情報を抽出して、抽出された広告情報を座席位置情報に基づいて定められる座席に設けられている受信手段にネットワークを介して送信するステップ（ｃ）と、受信手段がネットワークを介して受信した広告情報に基づいて、表示手段に画像を表示するステップ（ｄ）とを具備する。
【発明の効果】
【０００９】
本発明によれば、ＩＣカードから読み取られた目的地情報及び／又は入力手段を用いて入力された利用目的情報を座席位置情報と共にサーバに送信し、サーバにおいて、受信した目的地情報及び／又は利用目的情報に対応する広告情報を抽出して表示手段に画像を表示させることにより、乗客の目的地及び／又は利用目的に応じて広告情報を提供することが可能となる。
【発明を実施するための最良の形態】
【００１０】
以下、本発明を実施するための最良の形態について、図面を参照しながら詳しく説明する。なお、同一の構成要素には同一の符号を付して、説明を省略する。
図１は、本発明の一実施形態に係る広告表示システムの構成を示すブロック図である。この広告表示システムは、列車、バス、飛行機等の操縦席や車掌室等に設置されるサーバ１０と、有線又は無線のＬＡＮ（ローカルエリアネットワーク）等のネットワーク２０と、列車、バス、飛行機等の乗客が利用する座席又はその周辺に設置され、ネットワーク２０を介してサーバ１０との間で通信を行う端末装置３０とを有している。
【００１１】
サーバ１０は、交通機関を用いた移動の目的地（例えば、列車の場合には下車予定駅：東京、名古屋、新大阪、・・・、等）を表す目的地情報に対応して各種の広告情報を格納する格納部１１と、各々の乗客の目的地に応じて適切な広告情報を提供する制御部１２と、ネットワーク２０を介して端末装置３０との間で通信を行う送受信部１３とを含んでいる。
【００１２】
格納部１１は、メモリ及び／又はハードディスク等によって構成される。広告情報は、目的地情報のみに対応して格納するだけでなく、交通機関を用いた移動の利用目的（ビジネス又は観光等）を表す利用目的情報にも対応して格納するようにしても良い。例えば、目的地（下車予定駅）が新大阪であり、利用目的がビジネスである場合には、新大阪駅周辺地域のビジネスホテルや飲食店の地図、電話番号、サービス内容、料金等が広告情報として提供される。
【００１３】
制御部１２は、ＣＰＵ及びソフトウェア（プログラム）、ディジタル回路、及び／又は、アナログ回路等によって構成される。制御部１２がＣＰＵを含む場合に、ＣＰＵに各種の動作を実行させるプログラムは、格納部１１に格納される。
【００１４】
端末装置３０は、ネットワーク２０を介してサーバ１０との間で通信を行う送受信機３１と、非接触で情報の読出し及び書込みが可能なＩＣを内蔵した乗車券（ＩＣカード）から目的地に関する情報を読み取るＩＣ読取機３２と、広告情報に基づいて広告画像を表示するモニタ等の表示装置３３とを含んでいる。
【００１５】
さらに、端末装置３０は、乗客が利用目的情報を入力するために用いるタッチパネル等の入力装置３４と、乗客が利用する各座席に加えられる荷重を感知する荷重センサ３５と、交通機関が列車である場合に乗客が利用する各座席の方向を検出する座席方向センサ３６との内の１つ以上を含むようにしても良い。端末装置３０がタッチパネル等の入力装置３４を含む場合に、表示装置３３と入力装置３４とは、同一のパネルを使用することが望ましい。
【００１６】
図２は、列車の進行方向において隣接している３つの座席の状態を示す図である。図２の（ａ）においては、座席Ａ〜Ｃが、列車の進行方向を向くように配置されている。座席Ａに設けられている端末装置は、送受信機３１Ａの送信部に接続されたＩＣ読取機３２Ａと、送受信機３１Ａの受信部に接続された表示装置３３Ａと、送受信機３１Ａの送信部に接続された入力装置３４Ａとを含んでいる。座席Ｂ及びＣについても同様である。
【００１７】
座席Ａに座っている乗客は、座席Ａに設けられているＩＣ読取機３２Ａを使用すると共に、座席Ｂに設けられている表示装置３３Ｂ及び入力装置３４Ｂを使用する。同様に、座席Ｂに座っている乗客は、座席Ｂに設けられているＩＣ読取機３２Ｂを使用すると共に、座席Ｃに設けられている表示装置３３Ｃ及び入力装置３４Ｃを使用する。
【００１８】
従って、座席Ａに座っている乗客の乗車券（ＩＣカード）に記憶されている目的地情報は、座席Ａに設けられているＩＣ読取機３２Ａによって読み取られ、座席Ａに設けられている送受信機３１Ａが、目的地情報をサーバ１０（図１）に送信する。また、座席Ａに座っている乗客は、座席Ｂに設けられている入力装置３４Ｂを用いて利用目的情報を入力し、座席Ｂに設けられている送受信機３１Ｂが、利用目的情報をサーバ１０に送信する。
【００１９】
図１に示すサーバ１０の制御部１２は、送受信機３１Ａから受信した目的地情報と送受信機３１Ｂから受信した利用目的情報とに基づいて格納部１１を検索し、受信した目的地情報及び利用目的情報に対応する広告情報を抽出して、抽出された広告情報を、座席Ｂに設けられている送受信機３１Ｂに送信する。送受信機３１Ｂが受信した広告情報に基づいて、座席Ｂに設けられている表示装置３３Ｂが広告画像を表示する。
【００２０】
各座席に設けられている荷重センサ３５（図１）は、その座席に加えられる荷重を感知し、送受信機３１が、荷重センサ３５の感知結果をサーバ１０に送信する。サーバ１０の制御部１２は、荷重センサ３５の感知結果に基づいて、各座席に乗客が座っているか否かを判定し、その判定結果に基づいて、各座席に対応する表示装置３３における表示のオン／オフを制御する。
【００２１】
例えば、座席Ｂが空席になると、制御部１２は、座席Ｃに設けられている表示装置３３Ｃにおける表示を停止して節電を図る。あるいは、座席Ｂに乗客が座ると、制御部１２は、座席Ｃに設けられている表示装置３３Ｃにおける表示を開始させる。あるいは、座席Ｂに設けられているＩＣ読取機３２ＢがＩＣカードから目的地情報を読み取れなかった場合に、制御部１２が、座席Ｃに設けられている表示装置３３Ｃにおける表示を停止するようにしても良い。
【００２２】
各座席に設けられている座席方向センサ３６（図１）は、その座席の方向を検出し、送受信機３１が、座席方向センサ３６の検出結果をサーバ１０に送信する。サーバ１０の制御部１２は、座席方向センサ３６の検出結果に基づいて、座席の向き合い状態を判定し、その判定結果に基づいて、各座席に対応する表示装置３３における表示のオン／オフを制御する。例えば、図２の（ｂ）に示すように、座席Ｂと座席Ｃとが背中合わせに向けられると、図１に示す制御部１２は、座席Ｂ及びＣにそれぞれ設けられている表示装置３３Ｂ及び３３Ｃにおける表示を停止して節電を図る。
【００２３】
図３は、本実施形態において乗車券として用いられるＩＣカードの構成例を示すブロック図である。図３に示すように、ＩＣカード（ＲＦＩＤ）４０は、図１に示す端末装置３０のＩＣ読取機３２によって発生される無線周波数（radio frequency：ＲＦ）の磁界又は電磁界によってエネルギーが供給されたときに信号を送受信する無線通信部４１と、ＲＦ信号の送受信を制御する制御部４２と、乗車区間等の情報を記憶するメモリ４３とを含んでいる。
【００２４】
図４は、本実施形態において乗車券として用いられるＩＣカードの外観を示す平面図である。図４においては、ＩＣカード４０の表面に、乗車区間（東京→新大阪）や列車の時刻等が表示されているが、これらの情報は、図３に示すメモリ４３に格納されるだけでも良い。あるいは、現在実用化されている「Ｓｕｉｃａ」や「ＰＡＳＭＯ」のように、ＩＣカードを利用して駅でグリーン券を購入した際に乗車区間の情報がＩＣカードに記憶される場合には、その乗車区間の情報を利用するようにしても良い。
【００２５】
次に、本実施形態に係る広告表示システムの動作の一例について、図１及び図５を参照しながら説明する。
図５は、図１に示す広告表示システムの動作の一例を示すフローチャートである。乗客が、乗車券（ＩＣカード）を端末装置３０のＩＣ読取機３２にかざすと、ＩＣ読取機３２が、磁界又は電磁界を発生してＩＣカードにエネルギーを供給しながら、ＩＣカードに情報の送信を要求する。これに応答して、図３に示すＩＣカード４０の制御部４２が、メモリ４３から乗車区間等の情報を読み出して、無線通信部４１が、読み出された情報を送信する。端末装置３０のＩＣ読取機３２が、ＩＣカードから送信される情報を受信することにより、端末装置３０は、その乗客の目的地情報を取得することができる（ステップＳ１１）。
【００２６】
次に、乗客が、自分の前の座席の背面に設けられている表示装置３３を起動して、タッチパネル等の入力装置３４を操作することにより、ビジネスや観光等の利用目的別表示ボタンから該当するボタンを選択して押下する。これにより、端末装置３０は、その乗客の利用目的情報を取得することができる（ステップＳ１２）。
【００２７】
端末装置３０の送受信機３１は、取得された目的地情報及び利用目的情報を、その乗客が座っている座席の位置を表す座席位置情報と共に、サーバ１０に送信する（ステップＳ１３）。サーバ１０の送受信部１３は、端末装置３０から送信された情報を受信して、それを制御部１２に出力する。制御部１２は、受信された目的地情報及び利用目的情報に基づいて、地域別・利用目的別の広告情報を格納する格納部１１を検索することにより、該当する広告情報を抽出する（ステップＳ２１）。送受信部１３は、抽出された広告情報を、座席位置情報に基づいて定められる座席の端末装置３０に送信する（ステップＳ２２）。ここで、「座席位置情報に基づいて定められる座席」とは、座席位置情報によって特定される座席よりも前に隣接する座席を意味する。
【００２８】
端末装置３０の送受信機３１は、サーバ１０から送信される広告情報を受信して、受信した広告情報を表示装置３３に出力する。表示装置３３は、その広告情報に基づいて、広告画像を表示する（ステップＳ１４）。ここで、乗客が、利用目的別表示ボタンを押下することにより、異なる利用目的を選択した場合には、ステップＳ１２〜Ｓ１４が繰り返される。
【００２９】
その後、乗客が座席を離れると、端末装置３０の荷重センサ３５がこれを検知して（ステップＳ１５）、送受信機３１が、荷重センサ３５の検知結果をサーバ１０に送信する（ステップＳ１６）。サーバ１０の送受信部１３が受信した検知結果に基づいて、制御部１２が、端末装置３０の表示装置３３を停止させる制御信号を生成し、送受信部１３が、その制御信号を端末装置３０に送信する（ステップＳ２３）。端末装置３０の送受信機３１が、サーバ１０から送信された制御信号を受信し、その制御信号に従って、表示装置３３における画像の表示が停止する（ステップＳ１７）。
【図面の簡単な説明】
【００３０】
【図１】本発明の一実施形態に係る広告表示システムの構成を示すブロック図である。
【図２】列車の進行方向において隣接している３つの座席の状態を示す図である。
【図３】本発明の一実施形態において乗車券として用いられるＩＣカードの構成例を示すブロック図である。
【図４】本発明の一実施形態において乗車券として用いられるＩＣカードの外観を示す平面図である。
【図５】図１に示す広告表示システムの動作の一例を示すフローチャートである。
【符号の説明】
【００３１】
１０  サーバ
１１  格納部
１２  制御部
１３  送受信部
２０  ネットワーク
３０  端末装置
３１、３１Ａ〜３１Ｃ  送受信機
３２、３２Ａ〜３２Ｃ  ＩＣ読取機
３３、３３Ａ〜３３Ｃ  表示装置
３４、３４Ａ〜３４Ｃ  入力装置
４０  ＩＣカード
４１  無線通信部
４２  制御部
４３  メモリ
【図１】
2009204847.tif 000003
【図２】
2009204847.tif 000004
【図３】
2009204847.tif 000005
【図４】
2009204847.tif 000006
【図５】
2009204847.tif 000007